(57)【要約】      （修正有）【課題】カップを提供する。【解決手段】カップには、カップ底部１０と、カップ胴部２０と、当接ユニット３０と、が設けられる。前記カップ胴部は前記カップ底部に結合される。前記当接ユニットは前記カップ胴部の前記カップ底部ではない箇所に結合され、且つ当接部３１及び突き当て部３２を含む。前記当接部が前記カップ胴部に結合されることにより前記当接部と前記カップ胴部との接合箇所に結合部材３１１が形成される。前記突き当て部が前記当接部の上縁に結合されることにより前記突き当て部と前記当接部との接合箇所に位置限定部材３２１が形成される。少なくとも２つの前記カップが積み重ねられる場合、上方に位置する前記カップの前記結合部材が下方に位置する前記カップの前記位置限定部材に当接される。これにより、積み重ねられる際に気密状態になる現象が発生せず、取り出しやすく、撹拌しやすい。【選択図】図２
0003224443.tif 000002
【実用新案登録請求の範囲】
【請求項１】
カップ底部と、
前記カップ底部に結合されるカップ胴部と、
前記カップ胴部の前記カップ底部ではない箇所に結合され、且つ当接部及び突き当て部を含み、前記当接部が前記カップ胴部に結合されることにより前記当接部と前記カップ胴部との接合箇所に結合部材が形成され、前記突き当て部が前記当接部の上縁に結合されることにより前記突き当て部と前記当接部との接合箇所に位置限定部材が形成され、少なくとも２つの前記カップが積み重ねられる場合、上方に位置する前記カップの前記結合部材が下方に位置する前記カップの前記位置限定部材に当接されることにより、上方に位置する前記カップのカップ底部が下方に位置する前記カップのカップ底部に密着することを防ぐ当接ユニットと、が設けられることを特徴とするカップ。
【請求項２】
前記カップ底部の内表面が平滑な表面であることを特徴とする請求項１に記載のカップ。
【請求項３】
前記カップ底部が平滑な弧面であることを特徴とする請求項１に記載のカップ。
【請求項４】
前記当接ユニットが前記カップ胴部の上縁に設けられることを特徴とする請求項１乃至３の何れか１項に記載のカップ。
【請求項５】
前記当接部が前記カップ胴部の上縁に周設され、且つ前記当接部の底縁の外径が前記カップ胴部の上縁の外径より大きく、前記結合部材が第一階段状の縁となることを特徴とする請求項４に記載のカップ。
【請求項６】
前記突き当て部が前記当接部の上縁に周設され、且つ前記突き当て部の底縁の内径が前記当接部の上縁の内径より大きく、前記位置限定部材が第二階段状の縁となることを特徴とする請求項１乃至３の何れか１項に記載のカップ。
【請求項７】
前記突き当て部が前記当接部の上縁に周設され、且つ前記突き当て部の底縁の内径が前記当接部の上縁の内径より大きく、前記位置限定部材が第二階段状の縁となることを特徴とする請求項４に記載のカップ。
【請求項８】
前記突き当て部が前記当接部の上縁に周設され、且つ前記突き当て部の底縁の内径が前記当接部の上縁の内径より大きく、前記位置限定部材が第二階段状の縁となることを特徴とする請求項５に記載のカップ。
【請求項９】
前記カップ底部が、前記カップ底部の外周縁に環状に設けられる位置決め部を有することを特徴とする請求項１乃至３の何れか１項に記載のカップ。
【請求項１０】
前記カップ胴部の、前記カップ底部に隣接する箇所が弧形を呈することを特徴とする請求項１乃至３の何れか１項に記載のカップ。
【考案の詳細な説明】
【技術分野】
【０００１】
本考案は、カップに関するものであり、更に詳しくは、取り出しやすく、撹拌しやすいカップである。
【背景技術】
【０００２】
現代人は飲料を好んで飲む人が多く、コーヒー等の様々な飲料を飲む習慣があるため、ドリンクスタンドの多くがプラスチックカップに飲料を容れて提供している、また持ち帰り用に提供するためにプラスチックカップの需要が高いため、ドリンクスタンドでは一度に大量のプラスチックカップを発注するが、これらのプラスチックカップが空間を占領しないようにするためにドリンクスタンドのではこれらのプラスチックカップを相互に積み重ねている。
【０００３】
しかしながら、下方に位置するプラスチックカップのカップ底部の内表面が上方に位置するプラスチックカップのカップ底部の外表面に相互に密着されるため、気密状態になる現象が発生する。このため、店員がプラスチックカップを取り出す際に、取り出したいプラスチックカップとその下方にあるプラスチックカップとの間に気密状態になる現象が生じるため、取り出したいプラスチックカップが取り出しにくくなることがあり、不便である。
【０００４】
上述の問題を解決するために、従来の特許文献では、例えば、特許文献１にはカップ本体構造の改良と記載され、図６に示されるように、カップ本体５０はカップ胴部５１及びカップ底部５２を備える。前記カップ底部５２は前記カップ胴部５１の底縁に結合され、且つ前記カップ底部５２は突起部５２１を有する。前記突起部５２１は、前記カップ底部５２の内表面に凸設され、複数のカップ本体５０が積み重ねられる際に、上方に位置する前記カップ本体５０のカップ底部５２の外表面が下方に位置する前記カップ本体５０のカップ底部５２の突起部５２１に当接されることにより、互いに隣接する２つのカップ本体５０のカップ底部５２が密着するのを防ぎ、互いに隣接する２つのカップ本体５０の間に気密状態になる現象が発生しないようにし、互いに隣接する２つのカップ本体５０が分離しやすいようにできている。
【０００５】
また、特許文献２にはカップ構造と記載され、図７に示されるように、カップ本体６０はカップ底部６１と、溝部６２と、凸状の台座部６３と、を備える。前記溝部６２が前記カップ底部６１の外表面に形成されるため、前記カップ底部６１の内表面には対応する位置に前記凸状の台座部６３が形成される。前記溝部６２は第一空間６２１及び第二空間６２２を含み、前記第一空間６２１は前記第二空間６２２の下方に位置され、且つ前記第一空間６２１の内径は前記第二空間６２２の内径より大きく、前記第一空間６２１と前記第二空間６２２との接合箇所に当接部６２３が形成される。前記第一空間６２１の内径と前記凸状の台座部６３の外径とが対応しあうため、前記複数のカップ本体６０が積み重ねられる際に、上方に位置する前記カップ本体６０の第一空間６２１が下方に位置する前記カップ本体６０の凸状の台座部６３に被さり、且つ上方に位置する前記カップ本体６０の当接部６２３が下方に位置する前記カップ本体６０の凸状の台座部６３の上面に当接され、これにより上下に隣接する２つのカップ本体６０の２つのカップ底部６１が互いに密着しなくなり、上下に隣接する２つのカップ本体６０間に気密状態になる現象が発生せず、互いに隣接する２つのカップ本体６０が分離しやすくなる。
【０００６】
上述の２つの構造は共に上下に隣接する２つのカップ本体５０と６０との間に気密状態になる現象が発生させず、互いに隣接する２つのカップ本体５０と６０とが分離しにくいことはないが、特許文献１に記載のカップ底部５２の突起部５２１、及び特許文献２に記載のカップ底部６１の凸状の台座部６３は、共にそのカップ底部５２及び６１が平坦ではなく、消費者がホットココアやオレンジジュース等の沈殿物が発生しやすい飲料を飲む場合、前記突起部５２１及び前記凸状の台座部６３があるために消費者がカップ底部５２及び６１にて沈殿物を撹拌しにくくなる。よって、従来のカップ本体５０及び６０には改善の余地がある。
【先行技術文献】
【特許文献】
【０００７】
【特許文献１】台湾実用新案第M433160号明細書
【特許文献２】台湾実用新案第M567052号明細書
【考案の概要】
【考案が解決しようとする課題】
【０００８】
本考案は、このような従来の問題に鑑みてなされたものである。上記課題解決のため、本考案は、カップを提供することを目的とする。すなわち、従来の隣接する２つのカップの間に気密状態になる現象を発生させない構造は、どれもカップ底部が平坦ではないために、消費者はカップ底部で飲料品の濃度を均一に撹拌することが難しいという問題を解決できる。
【課題を解決するための手段】
【０００９】
上記課題を解決するために、本考案のある態様のカップは、
カップ底部と、
前記カップ底部に結合されるカップ胴部と、
前記カップ胴部の前記カップ底部ではない箇所に結合され、且つ当接部及び突合わせ部を含み、前記当接部が前記カップ胴部に結合されることにより前記当接部と前記カップ胴部との接合箇所に結合部材が形成され、前記突合わせ部が前記当接部の上縁に結合されることにより前記突合わせ部と前記当接部との接合箇所に位置限定部材が形成され、少なくとも２つの前記カップが積み重ねられる場合、上方に位置する前記カップの前記結合部材が下方に位置する前記カップの前記位置限定部材に当接されることにより、上方に位置する前記カップのカップ底部が下方に位置する前記カップのカップ底部に密着することを防ぐ当接ユニットと、が設けられる。
【００１０】
また、本考案に係るカップにおいて、前記カップ底部の内表面が平滑な表面である。
【００１１】
さらに、本考案に係るカップにおいて、前記カップ底部が平滑な弧面である。
【００１２】
なお、本考案に係るカップにおいて、前記当接ユニットが前記カップ胴部の上縁に設けられる。
【００１３】
好ましくは、本考案に係るカップにおいて、前記当接部が前記カップ胴部の上縁に周設され、且つ前記当接部の底縁の外径が前記カップ胴部の上縁の外径より大きく、前記結合部材が第一階段状の縁となる。
【００１４】
より好ましくは、本考案に係るカップにおいて、前記突合わせ部が前記当接部の上縁に周設され、且つ前記突合わせ部の底縁の内径が前記当接部の上縁の内径より大きく、前記位置限定部材が第二階段状の縁となる。
【００１５】
より好ましくは、本考案に係るカップにおいて、前記カップ底部が、前記カップ底部の外周縁に環状に設けられる位置決め部を有する。
【００１６】
より好ましくは、本考案に係るカップにおいて、前記カップ胴部の、前記カップ底部に隣接する箇所が弧形を呈する。
【考案の効果】
【００１７】
本考案によれば、次のような効果がある。
（１）特許文献１に記載のカップ本体構造改良は、前記カップ底部に前記突起部が設けられることにより、上方に位置するカップ本体のカップ底部の外表面が下方に位置する前記カップ本体のカップ底部の突起部に当接され、特許文献２に記載のカップ本体構造は、前記カップ底部に前記凸状の台座部が設けられることにより、上方に位置する前記カップ本体の当接部が下方に位置する前記カップ本体の凸状の台座部の上面に当接され、前記突起部及び前記凸状の台座部があるために前記カップ底部が平坦にならず、消費者は沈殿物が発生しやすい飲料品を飲む際に前記カップ底部を撹拌させにくいという問題に対し、本考案は前記カップ胴部に結合される前記当接ユニットにより、上下に隣接する２つのカップの２つのカップ底部が密着して気密状態になる現象を防止させる。よって、本考案は前記カップ底部にいかなる部材も設けずに前記カップ底部の内表面を平滑な表面とすることにより、消費者が飲料品を撹拌する際、前記カップ底部に撹拌の障害になるものが何もなく、攪拌しやすくなる。
（２）前記カップ胴部の口径が下から上にかけて漸拡状を呈し、下方に位置する前記カップの上部の口径は、上方に位置する前記カップの底部の外径より大きいため、２つのカップが積み重ねやすくなる。また、前記カップ胴部は、前記カップ底部に隣接する箇所が弧形を呈し、上方に位置する前記カップのカップ胴部の前記カップ底部に隣接する箇所が下方に位置する前記カップのフランジ部に接触すると、前記開口部中に容易に滑り込むようになる。
（３）前記カップ底部の位置決め部により前記カップがテーブル上に更に安定的に載置可能となり、軽微な震動を受けても前記カップが倒れにくくなる。
【図面の簡単な説明】
【００１８】
【図１】本考案の好ましい実施形態に係るカップを示す外観斜視図である。
【図２】本考案の好ましい実施形態に係るカップを示す断面側面図である。
【図３】本考案の好ましい実施形態に係るカップの部分断面を示す外観斜視図である。
【図４】本考案の好ましい実施形態に係るカップが積み重ねられる状態を示す側面図である。
【図５】本考案の好ましい実施形態に係るカップが積み重ねられる場合を示す断面側面図である。
【図６】従来のカップが積み重ねられる状態を示す断面側面図である。
【図７】従来の他のカップが積み重ねられる状態を示す断面側面図である。
【考案を実施するための形態】
【００１９】
以下は、本考案の実施の形態について、図面を参照して詳細に説明する。なお、本考案は以下の例に限定されるものではなく、本考案の要旨を逸脱しない範囲で、任意に変更可能であることは言うまでもない。
【００２０】
まず、図１〜３を参照しながら、本考案のカップについてさらに詳しく説明する。本考案に係るカップは、カップ底部１０と、カップ胴部２０と、当接ユニット３０と、を備え、該カップ底部１０は該カップの底部に設けられ、且つ該カップ底部１０の内表面は平滑な表面である（図１乃至図３参照）。
【００２１】
図１乃至図３に示されるように、本考案の好ましい実施形態では、前記カップ底部１０は平滑な弧面を呈し、前記カップ底部１０は前記カップ底部１０の外周縁に環状に設けられる位置決め部１１を有する。また、前記位置決め部１１の底面は平坦面である。よって、前記位置決め部１１により前記カップがテーブル上に更に安定的に載置可能となり、軽微な震動を受けても前記カップが倒れにくくなる。
【００２２】
また、図１乃至図３に示されるように、前記カップ胴部２０は前記カップ底部１０に結合される。本考案の好ましい実施形態では、前記カップ胴部２０は環形の薄壁であり、且つ前記カップ胴部２０の口径は下から上にかけて漸拡状を呈し、前記カップ胴部２０は前記カップ底部１０に隣接する箇所が弧形を呈する。本考案の好ましい実施形態では、前記カップ胴部２０と前記カップ底部１０の位置決め部１１とが連接され、且つ前記カップ胴部２０は前記位置決め部１１に隣接する箇所が弧形を呈し、前記弧面の中心部が前記カップ胴部２０中に進入し、前記弧面の中心部が前記位置決め部１１よりも高くなる。
【００２３】
なお、図１乃至図３に示されるように、前記当接ユニット３０は前記カップ胴部２０の前記カップ底部１０ではない箇所に結合される。本考案の好ましい実施形態では、前記当接ユニット３０は前記カップ胴部２０の上縁に設置されると共に当接部３１及び突き当て部３２を備える。前記当接部３１が前記カップ胴部２０の上縁に結合されることにより前記当接部３１と前記カップ胴部２０との接合箇所に結合部材３１１が形成される。本考案の好ましい実施形態によると、前記当接部３１は前記カップ胴部２０の上縁に周設され、且つ前記当接部３１の底縁の外径は前記カップ胴部２０の上縁の外径より大きく、前記当接部３１と前記カップ胴部２０との接合箇所にある前記結合部材３１１が第一階段状の縁となる。前記突き当て部３２が前記当接部３１の上縁に結合されることにより前記突き当て部３２と前記当接部３１との接合箇所に位置限定部材３２１が形成される。本考案の好ましい実施形態では、前記突き当て部３２は前記当接部３１の上縁に周設され、且つ前記突き当て部３２の底縁の内径は前記当接部３１の上縁の内径より大きく、前記突き当て部３２と前記当接部３１との接合箇所にある前記位置限定部材３２１が第二階段状の縁となり、前記第一階段状の縁の外径は前記第二階段状の縁の内径以下である。
【００２４】
このように、図４及び図５に示されるように、本考案に係る複数のカップが積み重ねられる場合、上方に位置する前記カップの結合部材３１１が下方に位置する前記カップの位置限定部材３２１に当接され、即ち、上方に位置する前記カップの第一階段状の縁が下方に位置する前記カップの第二階段状の縁に当接され、上方に位置する前記カップの結合部材３１１が下方に位置する前記カップの位置限定部材３２１により係止され、上方に位置する前記カップが下方に位置する前記カップに対して継続的に下方に移動できなくなる。これにより、上下に隣接する２つのカップの２つのカップ底部１０の間の距離が開き、複数のカップが積み重ねられる際に、上下に隣接する２つのカップの２つのカップ底部１０が密着しなくなり、気密状態になる現象が発生せず、使用者が各カップを取り出しやすくなる。
【００２５】
他の好ましい実施形態では、その位置について、前記当接ユニット３０が前記カップ胴部２０の上縁と前記カップ底部１０との間に設けられ、前記当接ユニット３０が必ずしも前記カップ胴部２０の上縁に設けられる必要はない。その形態に関しては、前記結合部材３１１が１つまたは複数のバンプでもよく、或いは１本または複数本のリブでもよく、前記位置限定部材３２１も１つまたは複数のバンプでもよく、或いは１本または複数本のリブでもよい。少なくとも２つのカップが積み重ねられる際に、上方に位置する前記カップの結合部材３１１が下方に位置する前記カップの位置限定部材３２１に当接され、前記位置限定部材３２１が前記結合部材３１１を係止させ、上方に位置する前記カップのカップ底部１０が下方に位置する前記カップのカップ底部１０に密着しなければ全て本考案の保護の範囲に含まれる。
【００２６】
さらに、図１乃至図３に示されるように、本考案に係るカップはフランジ部４０を備え、該フランジ部４０は、前記当接ユニット３０の突き当て部３２の上縁に周設され、且つ該フランジ部４０が巻回することにより開口部４１が形成される。
【００２７】
本考案に係る複数のカップが積み重ねられる場合、図２、図５及び図６に示されるように、上方に位置する前記カップのカップ底部１０を真下に位置する前記カップの開口部４１に対向させ、上方に位置する前記カップを保持する手から離すだけで、上方に位置する前記カップの結合部材３１１が下方に位置する前記カップの位置限定部材３２１に当接され複数のカップが積み重ねられると同時に上下に隣接する２つのカップの底部１０が密着しなくなり、使用者が各カップを取り出しやすくなる。
【００２８】
上述の技術手段によれば、次のような効果がある。
（１）特許文献１に記載されるカップ本体構造の改良は、前記カップ底部５２に前記突起部５２１が設けられることにより、上方に位置するカップ本体５０のカップ底部５２の外表面が下方に位置する前記カップ本体５０のカップ底部５２の突起部５２１に当接され、特許文献２に記載のカップ本体構造は、前記カップ底部６１に前記凸状の台座部６３が設けられることにより、上方に位置する前記カップ本体６０の当接部６２３が下方に位置する前記カップ本体６０の凸状の台座部６３の上面に当接され、前記突起部５２１及び前記凸状の台座部６３があるために前記カップ底部５２、６１が平坦にならず、消費者が沈殿物が発生しやすい飲料品を飲む際に、前記カップ底部５２、６１を撹拌しにくくなるという問題に対し、本考案では、前記カップ胴部２０に結合される前記当接ユニット３０により、上下に隣接する２つのカップの２つのカップ底部１０が密着して気密状態になる現象が防止され、取り出しにくくならなくなる。よって、本考案は前記カップ底部１０にいかなる部材も設ける必要がなく、前記カップ底部１０の内表面を平滑な表面にすることにより、消費者が飲料品を撹拌する際に、前記カップ底部１０が撹拌しにくくなることがない。
（２）前記カップ胴部２０の口径は下から上にかけて漸拡状を呈し、下方に位置する前記カップの上部の口径が上方に位置する前記カップの底部の外径より大きいため、２つのカップを積み重ねやすくなる。また、前記カップ胴部２０の前記カップ底部１０に隣接する箇所が弧形を呈するため、上方に位置する前記カップのカップ胴部２０の前記カップ底部１０に隣接する箇所が下方に位置する前記カップのフランジ部４０に接触すると、前記開口部４１中に容易に滑り込むようになる。
（３）前記カップ底部１０の位置決め部１１により前記カップがテーブル上に更に安定的に載置可能となり、軽微な震動を受けても前記カップが倒れにくくなる。
【００２９】
上述の実施形態は本考案の技術思想及び特徴を説明するためのものにすぎず、当該技術分野を熟知する者に本考案の内容を理解させると共にこれをもって実施させることを目的とし、本考案の実用新案登録請求の範囲を限定するものではない。従って、本考案の精神を逸脱せずに行う各種の同様の効果をもつ改良又は変更は、実用新案登録請求の範囲に含まれるものとする。
【符号の説明】
【００３０】
１０    カップ底部
１１    位置決め部
２０    カップ胴部
３０    当接ユニット
３１    当接部
３１１  結合部材
３２    突き当て部
３２１  位置限定部材
４０    フランジ部
４１    開口部
５０    カップ本体
５１    カップ胴部
５２    カップ底部
５２１  突起部
６０    カップ本体
６１    カップ底部
６２    溝部
６２１  第一空間
６２２  第二空間
６２３  当接部
６３    凸状の台座部
【図１】
0003224443.tif 000003
【図２】
0003224443.tif 000004
【図３】
0003224443.tif 000005
【図４】
0003224443.tif 000006
【図５】
0003224443.tif 000007
【図６】
0003224443.tif 000008
【図７】
0003224443.tif 000009